(57)【要約】【課題】多量の画像データを自動的にオーサリングして各種の再生機能を持たせることができる画像記録装置及び画像記録方法を提供する。【解決手段】画像記録装置１０は、蓄積された画像データの付加情報及び／又は解析情報に基づいて、画像データ間の関連付け情報を含む再生用メタデータを生成する再生用メタデータ生成部１３と、再生用アプリケーションを作成する自動オーサリング部１４と、複数の画像データの内の再生用メタデータで関連付けられた画像データ、再生用メタデータ、及び再生用アプリケーションをディスク３０に記録するディスクドライブ１７とを有し、再生用アプリケーションは、ディスク３０再生時に、再生用メタデータで関連付けられた画像データの再生シナリオを選択できる選択用画面を表示させ、ユーザーによって選択用画面から選択された選択情報にしたがって画像データを順に再生させる。【選択図】図１
2010057003.tif 000002
【特許請求の範囲】
【請求項１】
複数の画像データを蓄積するデータ蓄積手段と、
前記複数の画像データに付加されている付加情報及び／又は前記複数の画像データを解析することによって取得された解析情報に基づいて、前記複数の画像データ間の関連付け情報を含む再生用メタデータを生成する再生用メタデータ生成手段と、
前記再生用メタデータに基づいて再生用アプリケーションを作成するオーサリング手段と、
前記複数の画像データの内の前記再生用メタデータで関連付けられた画像データ、前記再生用メタデータ、及び前記再生用アプリケーションを情報記録媒体に記録する記録手段と
を有し、
前記情報記録媒体に記録された前記再生用アプリケーションは、前記情報記録媒体の再生時に、前記情報記録媒体に記録された前記再生用メタデータを参照しながら実行され、前記情報記録媒体に記録された前記再生用メタデータで関連付けられた画像データの再生シナリオを選択できる選択用画面を表示装置に表示させ、ユーザーによって前記選択用画面から選択された選択情報にしたがって前記情報記録媒体に記録された前記再生用メタデータで関連付けられた画像データを順に再生させるソフトウェアである
ことを特徴とする画像記録装置。
【請求項２】
前記再生用メタデータは、前記複数の画像データの解析によって認識された顔の数ごとに、前記複数の画像データを分類したリスト情報を含むことを特徴とする請求項１に記載の画像記録装置。
【請求項３】
前記再生用アプリケーションは、前記選択用画面が、顔を含まない画像を表示させる再生シナリオを選択するためのボタンと、１つの顔を含む画像を表示させる再生シナリオを選択するためのポートレートボタンと、複数の顔を含む画像を表示させる再生シナリオを選択するためのグループ写真ボタンとを含むように、作成されることを特徴とする請求項２に記載の画像記録装置。
【請求項４】
前記再生用メタデータは、前記複数の画像データの解析によって認識された顔を識別する識別子としての顔ＩＤと、前記複数の画像データの中の画像データであって前記顔ＩＤに分類された顔を含む画像データを示す識別子である画像識別子とを関連付けたデータ構造を有することを特徴とする請求項１に記載の画像記録装置。
【請求項５】
前記再生用アプリケーションは、前記選択用画面が、前記認識された顔を含む画像を表示させる再生シナリオを選択するための顔選択ボタンを含むように、作成されることを特徴とする請求項４に記載の画像記録装置。
【請求項６】
前記再生用メタデータは、
１枚の画像の画像データごとに作成されるデータであり、
前記画像を識別する画像識別子と、前記画像識別子が付された前記画像データの解析によって認識された顔を識別する識別子としての顔ＩＤと、前記顔ＩＤが付された顔の位置を示す顔位置情報と、前記顔ＩＤが付された顔と同じ顔であると分類された顔を含む画像データを示す識別子である次画像識別子とを関連付けたデータ構造を有する
ことを特徴とする請求項１に記載の画像記録装置。
【請求項７】
前記再生用アプリケーションは、前記選択用画面が、前記次画面識別子を選択するための１又は複数の顔選択ボタンを含むように、作成されることを特徴とする請求項６に記載の画像記録装置。
【請求項８】
前記再生用メタデータは、画像データ本体と同じファイルに付加されることを特徴とする請求項６又は７に記載の画像記録装置。
【請求項９】
前記再生用アプリケーションは、前記情報記録媒体の再生時における画像の切り替わりの映像効果を、切り替え前の画像と切り替え後の画像との関係、前記再生用メタデータの内容、及び画像データの前記付加情報の中の少なくとも１つに基づいて切り替えることを特徴とする請求項１乃至８のいずれか１項に記載の画像記録装置。
【請求項１０】
データ蓄積手段に蓄積された複数の画像データに付加されている付加情報及び／又は前記複数の画像データを解析することによって取得された解析情報に基づいて、前記複数の画像データ間の関連付け情報を含む再生用メタデータを生成するステップと、
前記再生用メタデータに基づいて再生用アプリケーションを作成するステップと、
前記複数の画像データの内の前記再生用メタデータで関連付けられた画像データ、前記再生用メタデータ、及び前記再生用アプリケーションを情報記録媒体に記録するステップと
を有し、
前記情報記録媒体に記録された前記再生用アプリケーションは、前記情報記録媒体の再生時に、前記情報記録媒体に記録された前記再生用メタデータを参照しながら実行され、前記情報記録媒体に記録された前記再生用メタデータで関連付けられた画像データの再生シナリオを選択できる選択用画面を表示装置に表示させ、ユーザーによって前記選択用画面から選択された選択情報にしたがって前記情報記録媒体に記録された前記再生用メタデータで関連付けられた画像データを順に再生させる
ことを特徴とする画像記録方法。
【請求項１１】
前記再生用メタデータは、前記複数の画像データの解析によって認識された顔の数ごとに、前記複数の画像データを分類したリスト情報を含むことを特徴とする請求項１０に記載の画像記録方法。
【請求項１２】
前記再生用アプリケーションは、前記選択用画面が、顔を含まない画像を表示させる再生シナリオを選択するためのボタンと、１つの顔を含む画像を表示させる再生シナリオを選択するためのポートレートボタンと、複数の顔を含む画像を表示させる再生シナリオを選択するためのグループ写真ボタンとを含むように、作成されることを特徴とする請求項１１に記載の画像記録方法。
【請求項１３】
前記再生用メタデータは、前記複数の画像データの解析によって認識された顔を識別する識別子としての顔ＩＤと、前記複数の画像データの中の画像データであって前記顔ＩＤに分類された顔を含む画像データを示す識別子である画像識別子とを関連付けたデータ構造を有することを特徴とする請求項１０に記載の画像記録方法。
【請求項１４】
前記再生用アプリケーションは、前記選択用画面が、前記認識された顔を含む画像を表示させる再生シナリオを選択するための顔選択ボタンを含むように、作成されることを特徴とする請求項１３に記載の画像記録方法。
【請求項１５】
前記再生用メタデータは、
１枚の画像の画像データごとに作成されるデータであり、
前記画像を識別する画像識別子と、前記画像識別子が付された前記画像データの解析によって認識された顔を識別する識別子としての顔ＩＤと、前記顔ＩＤが付された顔の位置を示す顔位置情報と、前記顔ＩＤが付された顔と同じ顔であると分類された顔を含む画像データを示す識別子である次画像識別子とを関連付けたデータ構造を有する
ことを特徴とする請求項１０に記載の画像記録方法。
【請求項１６】
前記再生用アプリケーションは、前記選択用画面が、前記次画面識別子を選択するための１又は複数の顔選択ボタンを含むように、作成されることを特徴とする請求項１５に記載の画像記録方法。
【請求項１７】
前記再生用メタデータは、画像データ本体と同じファイルに付加されることを特徴とする請求項１５又は１６に記載の画像記録方法。
【請求項１８】
前記再生用アプリケーションは、前記情報記録媒体の再生時における画像の切り替わりの映像効果を、切り替え前の画像と切り替え後の画像との関係、前記再生用メタデータの内容、及び画像データの前記付加情報の中の少なくとも１つに基づいて切り替えることを特徴とする請求項１０乃至１７のいずれか１項に記載の画像記録方法。
【発明の詳細な説明】
【技術分野】
【０００１】
本発明は、複数の画像データを自動的にオーサリングする機能を有する画像記録装置及び画像記録方法に関するものである。
【背景技術】
【０００２】
デジタルカメラやデジタルビデオカメラなどの普及により、画像（写真及び動画を含む）撮影の機会は増加し、そのため、ＨＤＤレコーダーやパソコンなどに、多量のデジタル画像（デジタル写真及びデジタル動画を含む）が蓄積されることが多い。また、例えば、Ｂｌｕ−ｒａｙ  Ｄｉｓｃなどのようなプログラム実行機能を持つ光ディスクでは、高度なオーサリング機能を実現できる（例えば、非特許文献１参照）。また、オーサリングを簡単に行うためにオーサリングツールが開発されており、選択した再生シナリオのパターンに沿って画像素材を当てはめてオーサリングを行う提案がある（例えば、特許文献１参照）。
【０００３】
【非特許文献１】Ｂｌｕ−ｒａｙ  Ｄｉｓｃ  Ａｓｓｏｃｉａｔｉｏｎ、  “Ｗｈｉｔｅ  ｐａｐｅｒ  Ｂｌｕ−ｒａｙ  Ｄｉｓｃ  Ｆｏｒｍａｔ  （２．Ｂ  Ａｕｄｉｏ  Ｖｉｓｕａｌ  Ａｐｐｌｉｃａｔｉｏｎ  Ｆｏｒｍａｔ  Ｓｐｅｃｉｆｉｃａｔｉｏｎｓ  ｆｏｒ  ＢＤ−ＲＯＭ）”、２００５年３月、［２００８年６月２７日検索］、インターネット＜ＵＲＬ：ｈｔｔｐ：／／ｗｗｗ．ｂｌｕ−ｒａｙｄｉｓｃ．ｃｏｍ／Ａｓｓｅｔｓ／Ｄｏｗｎｌｏａｄａｂｌｅｆｉｌｅ／２ｂ＿ｂｄｒｏｍ＿ａｕｄｉｏｖｉｓｕａｌａｐｐｌｉｃａｔｉｏｎ＿０３０５−１２９５５−１５２６９．ｐｄｆ＞
【特許文献１】特開２０００−２３１６４２号公報
【発明の開示】
【発明が解決しようとする課題】
【０００４】
しかしながら、従来のオーサリングツールにおいては、ユーザーが、デジタルデータとして蓄積されている画像の内容をチェックし、再生シナリオの内容に合わせて画像を配置する作業が必要であり、ユーザーに多大な負担を強いるという問題があった。特に、オーサリングツールが一般ユーザー向けである場合に、多量の画像を目視確認して分類するという面倒な処理を一般ユーザーに強いることは望ましくなく、多量のデジタル画像を自動処理によって分類する機能が望まれる。
【０００５】
そこで、本発明は、上記従来技術の課題を解決するためになされたものであり、その目的は、多量の画像データを自動的にオーサリングして各種の再生機能を持たせることができる画像記録装置及び画像記録方法を提供することにある。
【課題を解決するための手段】
【０００６】
本発明の画像記録装置は、複数の画像データを蓄積するデータ蓄積手段と、前記複数の画像データに付加されている付加情報及び／又は前記複数の画像データを解析することによって取得された解析情報に基づいて、前記複数の画像データ間の関連付け情報を含む再生用メタデータを生成する再生用メタデータ生成手段と、前記再生用メタデータに基づいて再生用アプリケーションを作成するオーサリング手段と、前記複数の画像データの内の前記再生用メタデータで関連付けられた画像データ、前記再生用メタデータ、及び前記再生用アプリケーションを情報記録媒体に記録する記録手段とを有し、前記情報記録媒体に記録された前記再生用アプリケーションは、前記情報記録媒体の再生時に、前記情報記録媒体に記録された前記再生用メタデータを参照しながら実行され、前記情報記録媒体に記録された前記再生用メタデータで関連付けられた画像データの再生シナリオを選択できる選択用画面を表示装置に表示させ、ユーザーによって前記選択用画面から選択された選択情報にしたがって前記情報記録媒体に記録された前記再生用メタデータで関連付けられた画像データを順に再生させるソフトウェアであることを特徴としている。
【０００７】
また、本発明の画像記録方法は、
データ蓄積手段に蓄積された複数の画像データに付加されている付加情報及び／又は前記複数の画像データを解析することによって取得された解析情報に基づいて、前記複数の画像データ間の関連付け情報を含む再生用メタデータを生成するステップと、前記再生用メタデータに基づいて再生用アプリケーションを作成するステップと、前記複数の画像データの内の前記再生用メタデータで関連付けられた画像データ、前記再生用メタデータ、及び前記再生用アプリケーションを情報記録媒体に記録するステップとを有し、前記情報記録媒体に記録された前記再生用アプリケーションは、前記情報記録媒体の再生時に、前記情報記録媒体に記録された前記再生用メタデータを参照しながら実行され、前記情報記録媒体に記録された前記再生用メタデータで関連付けられた画像データの再生シナリオを選択できる選択用画面を表示装置に表示させ、ユーザーによって前記選択用画面から選択された選択情報にしたがって前記情報記録媒体に記録された前記再生用メタデータで関連付けられた画像データを順に再生させることを特徴としている。
【発明の効果】
【０００８】
本発明によれば、多量の画像データを自動的にオーサリングして各種の再生機能を持たせることができるので、ユーザーの負担を軽減することができるという効果がある。
【発明を実施するための最良の形態】
【０００９】
実施の形態１．
図１は、本発明の実施の形態１に係る画像記録装置１０（すなわち、実施の形態１に係る画像記録方法を実施する装置）の構成を概略的に示すブロック図である。画像記録装置１０は、例えば、ＨＤＤ内蔵型の光ディスク記録再生装置又はＰＣなどである。また、画像記録装置１０がＰＣである場合には、プログラムをダウンロードした又は記録媒体からインストールすることによって、画像記録装置１０としての動作が可能になる。
【００１０】
図１に示されるように、画像記録装置１０は、デジタルカメラ２０などからのデジタル画像データ（例えば、写真データ及び動画データなど）を受け取るデータ入力部１１と、入力された複数の画像データを蓄積するデータ蓄積部１２と、データ蓄積部１２に蓄積された複数の画像データに付加されているＥｘｉｆ（Ｅｘｃｈａｎｇｅａｂｌｅ  ｉｍａｇｅ  ｆｉｌｅ  ｆｏｒｍａｔ）などのメタデータ、及び／又は、各画像データの画像データ本体部分の特徴の解析によって得られた解析情報から複数の画像データを関連付けて再生シナリオを決定し、再生装置（図示せず）による再生時に使用する再生用メタデータを生成する再生用メタデータ生成部１３とを有している。また、画像記録装置１０は、再生用メタデータに基づいて再生用アプリケーションを作成する自動オーサリング部１４と、アプリケーションを構成する部品であるアプリケーションテンプレート１５と、クラスライブラリ１６と、データ蓄積部１２に蓄積された複数の画像データの内の再生用メタデータで関連付けられた画像データ３１、再生用メタデータ３２、及び再生用アプリケーション３３をディスク３０に記録するディスクドライブ１７とを有している。ディスク３０は、光ディスク又は磁気ディスクなどのような情報記録媒体である。
【００１１】
ディスク３０に記録された再生用アプリケーションは、ディスク３０の再生時に、ディスク３０に記録された再生用メタデータを参照しながら実行され、ディスク３０に記録された再生用メタデータ３２で関連付けられた画像データ３１の画像の再生シナリオを選択できる選択用画面（メニュー画面）を表示装置（後述する図３の符号４０）に表示させ、ユーザーによってメニュー画面から選択された選択情報にしたがってディスク３０に記録された再生用メタデータ３２で関連付けられた画像データ３１の画像を順に再生させるソフトウェアである。
【００１２】
データ入力部１１は、例えば、ＵＳＢインタフェース又はメモリカードインターフェース（ＳＤカードインタフェース、ＣＦカードインタフェースなど）などを備えたインタフェース部である。データ入力部１１には、例えば、ＵＳＢケーブルが接続され、及び／又は、メモリカードが挿入される。画像記録装置１０は、データ入力部１１から、例えば、デジタルカメラ２０などのデジタル機器に保存されているデータを取り込む。ユーザーは、デジタルカメラ２０による写真撮影後、デジタルカメラ２０をＵＳＢケーブルを介してデータ入力部１１に接続し、又は、メモリカードをデータ入力部１１に挿入して、画像データを画像記録装置１０内のデータ蓄積部１２に格納する。このような操作が繰り返し行われることによって、データ蓄積部１２に、多量の画像データが蓄積される。
【００１３】
ユーザーは、画像記録装置１０の画像データに基づく画像を画像記録装置１０の表示部（図示せず）又は画像記録装置１０に接続されたモニター（図示せず）に表示させることによって、データ蓄積部１２に蓄積された画像データを再生させることができる。しかし、画像データを他人に渡す場合、又は、画像データを装置外で長期保存する場合には、例えば、Ｂｌｕ−ｒａｙ  Ｄｉｓｃなどのような外部メディア、すなわち、ディスク３０に画像データを記録する必要がある。このように、データ蓄積部１２に蓄積された画像データをディスク３０に記録する場合には、画像記録装置１０は、以下のように動作する。
【００１４】
ユーザーは、データ蓄積部１２に蓄積されている複数の画像データの中からディスク３０に記録するデータを指定し、オーサリング開始の操作を行うだけで、自動的にオーサリングが進行する。先ず、再生用メタデータ生成部１３が、データ蓄積部１２に蓄積された複数の画像データに付加されている通常のメタデータ及び／又は複数の画像データを解析することによって取得された解析情報（メタデータ解析及び／又は画像解析などによって取得された情報）に基づいて、複数の画像データ間の関連付け情報を含む再生用メタデータを生成する。再生用メタデータは、複数の画像データの類似性、相関関係を類推し、グループ分け、再生順序、再生順序の分岐などの再生シナリオを決定するデータである。次に、自動オーサリング部１４が、再生用メタデータに基づいて再生用アプリケーションを作成し、ディスクドライブ１７が、複数の画像データの内の再生用メタデータで関連付けられた画像データ３１、再生用メタデータ３２、及び再生用アプリケーション３３をディスク３０に記録する。再生用アプリケーション３３は、再生用メタデータ３２にしたがって、必要な画像データをデータ蓄積部１２から取り出し、再生シナリオにしたがって再生動作を行うためにアプリケーションテンプレート１５とクラスライブラリ１６を使って作成されるソフトウェアである。次に、ディスクドライブ１７が、準備された画像データ３１、再生用メタデータ３２、再生用アプリケーション３３をディスク３０に記録する。
【００１５】
再生装置（図示せず）によって、画像データ３１、再生用メタデータ３２、及び再生用アプリケーション３３が記録されたディスク３０を再生すると、以下のような再生動作が可能である。ディスク３０がＢｌｕ−ｒａｙ  Ｄｉｓｃの場合、ディスク上のアプリケーションを使用して再生を行う仕組みはＢＤ−Ｊと呼ばれているＪａｖａ応用技術である。この技術は、例えば、上記非特許文献１に説明されている。ＢＤ−Ｊにおいては、ディスク３０が再生装置（図示せず）に挿入されると、再生装置はディスク３０内の初期アプリケーション名が記載されたファイルを読み込む。再生装置は、このファイルの記述に従い初期アプリケーションとして再生用アプリケーション３３を見つけて読み込みを実行する。
【００１６】
再生用アプリケーション３３は、アプリケーション内の記述に従い再生用メタデータ３２を読み込む。次に、再生用メタデータの内容に従い、画像データ３１の中から最初の画像を表示する。その後、再生用メタデータの記述に従いながら画像データ３１の中から順次画像を選択して表示する。
【００１７】
また、本発明の実施の形態においては、顔検知技術、顔認識技術を利用する。これらの技術は、既知の技術であり、例えば、特開２００５−３０１８６１号公報及び特開２００７−４３２１号公報に開示されている。なお、本願の説明において、「顔検知」は、画像の中から１つ又は複数の顔の位置、顔の大きさ、顔の数などを検出する技術であり、「顔認識」は、顔の写った画像の特徴を抽出し類似性を検出する技術である。
【００１８】
図２は、実施の形態１における再生用メタデータ生成部１３の動作例を示すフローチャートである。図２に示されるように、実施の形態１においては、ユーザーによって選択された画像は、再生用メタデータ生成部１３により順次解析される（ステップＳ１０１）。再生用メタデータ生成部１３は、データ蓄積部１２から読み出された画像データについて、顔検知処理を行い、画像の中に含まれる顔を検出する（ステップＳ１０２）。再生用メタデータ生成部１３は、検出された顔の数によって画像を分類し（ステップＳ１０３）、画像に含まれる顔の数が１の場合（１人の場合）はその画像をポートレートリストに（ステップＳ１０４）、複数の顔が検出された場合（２人以上の場合）はその画像をグループ写真リストに（ステップＳ１０５）、顔が検出されなかった場合（０人の場合）はその画像を風景写真などのリストに（ステップＳ１０６）追加する。再生用メタデータ生成部１３は、ステップＳ１０２〜Ｓ１０６の処理を選択された画像がなくなるまで繰り返す（ステップＳ１０１）。再生用メタデータ生成部１３は、すべての画像に対する顔検知処理が終わった後、それぞれのリストに分類された画像を一連の画像として扱えるように再生用メタデータを作成する（ステップＳ１０７）。
【００１９】
図３は、実施の形態１によって作成されたディスク３０の再生時の画面の様子を示す模式図である。ディスク３０を再生装置（図示せず）に挿入すると、再生装置は、ディスク３０に記録されている再生用アプリケーション３３を読み込んで実行し、次いで、ディスク３０に記録されている再生用メタデータ３１を読み込む。次に、再生用アプリケーション３３によって、例えば、再生装置に接続されたモニターにメニュー画面４０が表示される。メニュー画面４０には、「日時順表示」を選択するためボタン表示４１と、「ポートレート」を選択するためボタン表示４２と、「グループ写真」を選択するためボタン表示４３と、「風景写真など」を選択するためボタン表示４４とが並んでいる。ユーザーは、例えば、リモコン（図示せず）又はマウス（図示せず）などの操作部から、ボタン４１〜４４のいずれかを選択できる。
【００２０】
ユーザーが「日時順表示」を選択した場合は、図３に示されるように、スライドショーのように写真が単純に時間系列に並んで表示される。なお、スライドショーとは、複数の画像を順番に表示させる機能であり、ユーザーがキーを押すごとに画像を切り替える方式とあらかじめ設定しておいた時間が経つと自動的に画像が切り替わる方式の両方を含む。ユーザーが「ポートレート」を選択した場合は、顔検知の結果、顔の数が１であった写真をリスト化したスライドショーが表示される。ユーザーが「グループ写真」を選択した場合は、顔検知の結果、顔の数が２以上であった写真をリスト化したスライドショーが表示される。ユーザーが「風景写真など」を選択した場合は、顔検知の結果、顔の数が０であった写真をリスト化したスライドショーが表示される。
【００２１】
以上に説明したように、実施の形態１に係る画像記録装置及び画像記録方法によれば、１枚の画像に含まれる顔の数に基づいて、自動的に画像を分類できる。このため、例えば、ＢＧＶ（Ｂａｃｋ  Ｇｒｏｕｎｄ  Ｖｉｄｅｏ）として風景写真のみをスライドショー表示したい場合や、記念写真を選択的に再生したい場合など、ユーザーの目視確認及び手動操作によって分類する必要があったものを、自動的に分類し、利用することができるようになり、ユーザーの負担を軽減することができる。
【００２２】
実施の形態２．
上記実施の形態１においては、１枚の画像に含まれる顔の数に基づいて再生用メタデータ３２及び再生用アプリケーション３３を作成した場合を説明したが、本発明の実施の形態２においては、画像に含まれる顔の認識データに基づいて再生用メタデータ３２及び再生用アプリケーション３３を作成する場合を説明する。なお、実施の形態２の説明においては、図１をも参照する。
【００２３】
図４は、実施の形態２に係る画像記録装置（すなわち、実施の形態２に係る画像記録方法を実施する装置）の再生用メタデータ生成部１３の動作を示すフローチャートである。図４に示されるように、実施の形態２に係る画像記録装置においては、再生用メタデータ生成部１３は、ユーザーによって選択された画像を順次解析する（ステップＳ２０１）。再生用メタデータ生成部１３は、データ蓄積部１２から読み出された画像について顔検知処理を行い、画像の中に含まれる顔の位置の検出を行う（ステップＳ２０２）。次に、再生用メタデータ生成部１３は、画像の中から顔の部分を切り出し、次に特徴を抽出し、数値化して顔認識データを作成する（ステップＳ２０３）。次に、再生用メタデータ生成部１３は、顔認識データが近いほど同一人物である可能性が高いという性質を利用して、顔が同一人物か否かを判定する。具体的に言えば、再生用メタデータ生成部１３は、顔認識データに顔ＩＤを付けて類似するものをリスト化しておき、画像の中の顔画像に基づいて生成された顔認識データを既存の顔ＩＤの顔認識データと比較する（ステップＳ２０４）。再生用メタデータ生成部１３は、既存の顔ＩＤの顔認識データの中に類似する顔認識データが有ると判定されたときには（ステップＳ２０５）、その顔ＩＤのリストにこの顔認識データと画像識別子、画像内におけるこの顔の位置を付け加える（ステップＳ２０６）。再生用メタデータ生成部１３は、既存の顔ＩＤの顔認識データの中に類似する顔認識データが無いと判定されたときには（ステップＳ２０５）、新規の顔ＩＤのリストを作成し（ステップＳ２０７）、この顔の情報を格納する（ステップＳ２０８）。再生用メタデータ生成部１３は、ステップＳ２０１〜Ｓ２０８の処理を、検知された顔の数だけ繰り返す（ステップＳ２０９）。再生用メタデータ生成部１３は、それぞれの画像について順次処理していき、すべての画像の処理が終わると（ステップＳ２０１）、顔ＩＤのリストをもとに一連の画像として扱えるように再生用メタデータを作成する（ステップＳ２１０）。
【００２４】
図５は、実施の形態２に係る画像記録装置の再生用メタデータ生成部で生成される再生用メタデータ５０の構造を示す模式図である。図５に示されるように、再生用メタデータ５０は、再生用メタデータ生成部１３で検出された顔を識別する識別子としての顔ＩＤ５１と、この顔ＩＤ５１に分類された顔を含む画像（画像データ）を示す識別子である画像識別子５２ａ，５２ｂ，５２ｃ，…とを含む。再生用メタデータ５０は、検出された顔の数だけ生成され、画像データの再生時に使用される。
【００２５】
図６は、実施の形態２に係る画像記録装置によって、画像データ３１、再生用メタデータ３２、及び再生用アプリケーション３３が書き込まれたディスク３０を、再生装置で再生したときにモニターの画面に表示される画像の一例を示す図である。ディスク３０が再生装置に挿入されると、又は、ディスク３０が再生装置に挿入された後に再生開始が操作されると、再生装置は、再生用アプリケーション３３を読み込んで実行し、次いで、再生用メタデータ３１を読み込む。再生装置は、読み込んだ再生用アプリケーション３３にしたがって動作して、モニターにメニュー画面６０を表示させる。例えば、図６に示されるように、選択用画面であるメニュー画面６０には、顔ＩＤに対応する顔写真のボタンが並んで表示される。ユーザーは、例えば、リモコン又はマウスなどの操作部を操作することによって、顔写真のボタンの１つを選択することができる。顔写真のボタンはそれぞれ、その顔写真の顔の顔ＩＤを持つ再生用メタデータと関連付けられており、顔写真のボタンを選択することにより、顔写真のボタンに対応する顔ＩＤを持つ再生用メタデータに含まれる画像識別子の画像（すなわち、類似する顔認識データを持つ画像）が順次スライドショーとして表示される。
【００２６】
図７（ａ）及び（ｂ）は、実施の形態２に係る画像記録装置によってデータが記録されたディスク３０の再生時の画面遷移の例を示す模式図である。図６に示されるメニュー画面６０において顔Ａを含む顔写真のボタン６１を選択した場合には、スライドショーの画面は、例えば、図７（ａ）に示されるように、順に遷移する。スライドショーにおいては、画像が順に切り替わって表示される。このとき、各画像は、顔Ａ、すなわち、顔Ａの人物を含んだ画像となる。言い換えれば、このときには、顔Ａの人物に着目したスライドショーになる。同様に、メニュー画面で顔Ｂのボタン６２を選択した場合、図７（ｂ）に示されるように、スライドショーは顔Ｂを含む写真で構成されたものとなる。
【００２７】
以上に説明したように、実施の形態２に係る画像記録装置及び画像記録方法によれば、
画像データを自動的に類似した顔に基づいて分類することができる。このため、ユーザーの負担を軽減しつつ、自分の子供を含む写真のみをスライドショー表示させたり、結婚式で新郎新婦を含む写真のみをスライドショー表示させたりするなどの、便利な機能を実現できる。
【００２８】
実施の形態３．
図８は、本発明の実施の形態３に係る画像記録装置（すなわち、実施の形態３に係る画像記録方法を実施する装置）の再生用メタデータ生成部で生成される再生用メタデータの構造を示す模式図である。実施の形態３は、ディスク３０に記録される画像ファイルの形式が、上記実施の形態１又は２の場合と相違する。図８に示される再生用メタデータ７０は、画像１枚ごとに作成される再生用メタデータである。再生用メタデータ７０は、画像を示す画像識別子７１と、画像の中に含まれる顔それぞれに対して顔ＩＤ（顔ＩＤ−Ａ、顔ＩＤ−Ｂ、顔ＩＤ−Ｃ、…）と、顔位置（顔位置−Ａ、顔位置−Ｂ、顔位置−Ｃ、…）と、同じ顔を含む次の画像へのリンクとを示す次画像識別子（次画像識別子−Ａ、次画像識別子−Ｂ、次画像識別子−Ｃ、…）のセット７２ａ，７２ｂ，７２ｃ，…を、画像に含まれる顔の数だけ格納する。次の画像の選択のパターンは、多数あるが、一例として、同じ顔を含み時系列的に次に位置する画像の画像識別子が格納されている場合を説明する。実施の形態３においては、画像再生時にユーザーの操作により着目する人物を変更することができる。
【００２９】
図９は、実施の形態３に係る画像記録装置でデータが記録されたディスクの再生時の画面遷移の例を示す模式図である。ディスクの再生時には、ユーザーによるリモコン操作により、次の画像が表示される。実施の形態２の場合と同様に単純に順送りのボタン操作をした場合には、特定の１人の顔に着目したスライドショーとなり、図９に示されるように、画像８１，８２，…，８７の順に画像が遷移する。
【００３０】
１画面に複数の顔が現れた場合、例えば、図９の画面８２の場合においては、画像中に人物Ａと人物Ｂが写っている。この場合、ユーザーは、リモコン操作で人物Ａと人物Ｂを選択することができる。また、選択時には再生用メタデータに含まれている顔位置情報を使用して顔の周辺を強調して表示する。画面８２で人物Ｂを選択した場合、図９の画面の遷移は画面８１，８２，８５，８６となる。同様に、画面８５で人物Ｃを選択した場合、画面の遷移は、画面８１，８２，８５，８７となる。
【００３１】
このように、画像の中に写っている人物をリンクさせて、画像を遷移させることができるので、人物間の交友関係などに着目した画像の再生が可能になる。また、人物間のつながりを利用して、人物の画像を再生することが可能になる。
【００３２】
なお、実施の形態３において、上記以外の点は、上記実施の形態１又は２の場合と同じである。
【００３３】
実施の形態４．
図１０は、本発明の実施の形態４に係る画像記録装置（すなわち、実施の形態４に係る画像記録方法を実施する装置）によってディスク３０に記録されるＪＰＥＧやＴＩＦＦなどの標準的な画像ファイル９０のファイル形式を示す図である。実施の形態４は、ディスク３０に記録される画像ファイルの形式が、上記実施の形態３の場合と相違する。図１０に示されるように、実施の形態４に係る画像記録装置によって生成される再生用メタデータ９０は、画像データ本体９１と、画像データ本体９１と同じファイルに付加されたメタデータ領域９２とから構成され、メタデータ領域９２には、再生用メタデータ９３が記録されている。
【００３４】
例えば、ＪＰＥＧやＴＩＦＦなどにおいては、画像ファイルは、通常、Ｅｘｉｆなど画像情報を埋め込むための画像情報のメタデータ領域９２を持つ。図１０に示す例においては、再生用メタデータ９３は、メタデータ領域９２の中に埋め込まれている。図１０には示されていないが、メタデータ領域９２は拡張領域を定義することができる。図１０に示す例においては、この拡張領域に再生用メタデータ９３を埋め込んでいる。
【００３５】
以上に説明したように、実施の形態４に係る画像記録装置においては、画像データ本体９１とメタデータ領域９２の中の再生用メタデータ９３を一つのファイル９０に格納しているので、パソコンなどのようにファイル単位でデータ処理を行う場合に取り扱いが容易になる。
【００３６】
なお、実施の形態４において、上記以外の点は、上記実施の形態３の場合と同じである。
【００３７】
実施の形態５．
図１１（ａ）及び（ｂ）は、本発明の実施の形態５に係る画像記録装置（すなわち、実施の形態５に係る画像記録方法を実施する装置）でデータが記録されたディスク３０の再生時の画面遷移の例を示す模式図である。実施の形態５に係る画像記録装置によってディスクに記録される再生用アプリケーションは、ディスク３０の再生時における画像の切り替わりの映像効果を、切り替え前の画像と切り替え後の画像との関係に応じて切り替える点において、上記実施の形態１乃至４と相違する。
【００３８】
実施の形態５においては、ディスク３０の再生時に、各画像に写っている人物の顔や人数に関する情報を格納した再生用メタデータを使用し、特定の再生用メタデータの値に着目して表示に変化を付ける。例えば、図１１（ａ）及び（ｂ）に示されるように、画像をスライドショー再生するときの画面の切り替わりに変化を持たせる。図１１（ａ）及び（ｂ）は、人物が０人（顔の数が０個）の場合とそれ以外の場合、すなわち、風景写真などと人物写真の違いに着目した場合の例である。
【００３９】
図１１（ａ）においては、風景写真から風景写真への遷移、人物写真から人物写真への遷移などのように同種の画像間で画像が切り替わる場合のトランジション（画像転換効果）Ｔ１と、風景写真から人物写真へ又はその逆のように異なる種類の画像間で画像が切り替わる場合のトランジションＴ２を異なる内容としている。例えば、同種の画像間におけるトランジションＴ１ではディゾルブなど動きの少ないトランジションを使用し、異なる種類の画像間におけるトランジションＴ２ではスライドインなど動きの大きいトランジションを使用する。
【００４０】
図１１（ｂ）においては、画像の内容が風景写真である場合にはディゾルブなど動きの少ないトランジションＴ１を使用し、画像の内容が人物の場合にはスライドインなど動きの大きいトランジションＴ２を使用する。
【００４１】
なお、再生用メタデータ以外の通常の画像メタデータに格納されている日付や時刻、カメラの機種などの値に着目してトランジションに変化を付けることも可能である。
【００４２】
これらのメタデータを使ったトランジションの切替により、ユーザーを飽きさせない変化のあるスライドショーを自動オーサリングすることができる。
【００４３】
なお、実施の形態５において、上記以外の点は、上記実施の形態１乃至４の場合と同じである。
【図面の簡単な説明】
【００４４】
【図１】本発明の実施の形態１〜５に係る画像記録装置（すなわち、実施の形態１〜５に係る画像記録方法を実施する装置）の構成を概略的に示すブロック図である。
【図２】実施の形態１に係る画像記録装置の再生用メタデータ生成部の動作を示すフローチャートである。
【図３】実施の形態１に係る画像記録装置によってデータが記録されたディスクの再生時のメニュー画面と画面遷移の例を示す模式図である。
【図４】本発明の実施の形態２に係る画像記録装置の再生用メタデータ生成部の動作を示すフローチャートである。
【図５】実施の形態２に係る画像記録装置の再生用メタデータ生成部で生成される再生用メタデータの構造を示す模式図である。
【図６】実施の形態２に係る画像記録装置によってデータが記録されたディスクの再生時のメニュー画面を示す模式図である。
【図７】（ａ）及び（ｂ）は、実施の形態２に係る画像記録装置によってデータが記録されたディスクの再生時の画面遷移の例を示す模式図である。
【図８】本発明の実施の形態３に係る画像記録装置の再生用メタデータ生成部で生成される再生用メタデータの構造を示す模式図である。
【図９】実施の形態３に係る画像記録装置でデータが記録されたディスクの再生時の画面遷移の例を示す模式図である。
【図１０】本発明の実施の形態４に係る画像記録装置の再生用メタデータ生成部で生成される再生用メタデータの構造を示す模式図である。
【図１１】（ａ）及び（ｂ）は、本発明の実施の形態５に係る画像記録装置でデータが記録されたディスクの再生時の画面遷移の例を示す模式図である。
【符号の説明】
【００４５】
１０  画像記録装置、  １１  データ入力部、  １２  データ蓄積部、  １３  再生用メタデータ生成部、  １４  自動オーサリング部、  １５  アプリケーションテンプレート、  １６  クラスライブラリ、  １７  ディスクドライブ、  ２０  デジタルカメラ、  ３０  ディスク、  ３１  画像データ、  ３２  再生用メタデータ、  ３３  再生用アプリケーション、  ４０，６０  メニュー画面、  ４１，…，４４，６１，６２  メニュー画面のボタン、  ５０，７０  再生用メタデータ、  ９０  画像データ、  ９１  画像データ本体、  ９２  メタデータ領域、  ９３  再生用メタデータ、  Ａ，Ｂ，Ｃ  人物。
【図１】
2010057003.tif 000003
【図２】
2010057003.tif 000004
【図３】
2010057003.tif 000005
【図４】
2010057003.tif 000006
【図５】
2010057003.tif 000007
【図６】
2010057003.tif 000008
【図７】
2010057003.tif 000009
【図８】
2010057003.tif 000010
【図９】
2010057003.tif 000011
【図１０】
2010057003.tif 000012
【図１１】
2010057003.tif 000013